(57)【要約】【課題】  電動灯油ポンプのスイッチが、簡単な構造で、電池ケースのロック機構となると共に、スイッチＯＦＦ状態では閉回路とはならず、電池の自己放電を防止できるものとすること。【解決手段】  電動灯油ポンプに次の手段を採用する。  第１に、吸入管と、吐出ホースと、連結部材と、ポンプモータと、スイッチ付の電池ケースとでなる。  第２に、電池ケースが、ケース本体と、蓋体とでなる。  第３に、スイッチを、操作部と、蓋体内に進入する挿入板と、挿入板の挿入による押圧で電池と接触してポンプモータを動作させる板状端子とで構成する。  第４に、板状端子を、挿入板が挿入可能な隙間を確保して弾性力で蓋体と離れることができるよう配置し、操作部のスライドにより、挿入板が隙間に進入し、板状端子を電池と接触させ、電源ＯＮとすると共に、蓋体の開放防止を可能とする。【選択図】        図３
2010019081.tif 000002
【特許請求の範囲】
【請求項１】
灯油タンクから灯油を吸い上げる吸入管と、灯油を灯油タンク外部に供給する吐出ホースと、前記吸入管と該吐出ホースの連結部材と、灯油の吸い上げ力を発揮させるポンプモータと、該ポンプモータの電源部となるスイッチ付の電池ケースとを有する電動灯油ポンプにおいて、
上記電池ケースは、電池挿入側が開口されているケース本体と、電池挿入側の開口部を塞ぐ蓋体とを備え、
上記スイッチは、上記蓋体の外部に設けられたスイッチの操作部と、該操作部と連動して閉められた蓋体内に進入可能な挿入板と、該挿入板の挿入により電源ＯＮとなり上記ポンプモータを動作させる板状端子とを備え、
上記板状端子は、電源ＯＦＦ時には少なくとも接点の一部が電池と非接触となって電源回路を閉回路とせず、上記挿入板の挿入により上記非接触の接点が電池と接触して電源ＯＮとなるよう蓋体内に設けられると共に、
上記板状端子は、上記挿入板の挿入側では該挿入板が挿入可能な隙間を有した状態で、弾性により上記蓋体と離れることができるように上記挿入板の挿入側と反対方向で上記蓋体内部に固定され、
上記操作部のスライドにより、上記挿入板が上記隙間に進入し、上記板状端子の上記非接触の接点を電池と接触させ、電源ＯＮとすると共に、上記蓋体の開放防止を可能としたことを特徴とする電動灯油ポンプ。
【請求項２】
前記連結部材に、前記吸入管を覆う外筒を、外筒下端が利用する灯油タンク内に隠れる長さにして装着し、該覆われた部分の吸入管の外周部に凸部を形成し、該凸部により吸入管外周部と外筒内壁面との間に灯油戻し路を形成したことを特徴とする請求項１記載の電動灯油ポンプ。
【発明の詳細な説明】
【技術分野】
【０００１】
本発明は、電池を電源とする電動灯油ポンプの改良に関するものであって、スイッチによる端子の接離構造及び油戻し構造に主眼をおいて開発されたものである。
【背景技術】
【０００２】
従来より、電池を電源とする電動灯油ポンプは存在した。この電源電池は、ロック機構を有する電池ケースに入れられ、通常電池ケースやその近傍に設けられたスイッチでポンプに電源を供給するようにされていた。このように電池ケースにロック機構とスイッチを別個に設けた電動灯油ポンプは、機構上複雑化し、製作コストも高価なものとなってしまう問題点を有していた。
【０００３】
更に、電源用の電池は、単１電池が使用されることが多い。しかし、単１電池では、設置スペースの関係で、背の高いものとなったり、大型化するため、特許文献１に示されるような単３電池を利用した電動灯油ポンプが本特許出願人より提案された。
【０００４】
しかし、単３電池のような容量の小さい電池を利用する場合、交換の面倒さを無くすため複数の電池を並列接続とすることが必要となってくる。電池を並列接続すると、長時間電池を入れたままでは、部分的に閉回路があるため、電池同士で自己放電を起こしてしまうことになる。
【０００５】
更に、並列の電池群を閉回路を用いずに配置するには、電池群毎に個々のスイッチを設けたり、それを連動させる必要があり、複雑で大がかりなものとなり、高価な電動灯油ポンプにならざるをえず実用的ではなかった。
【０００６】
また灯油ポンプにおいては、油戻し構造を採用する必要があり、吸入管に飛散防止用カバーを設けたり、特許文献２に示すような空気取り入れ口と繋がる溝を吸入管に形成したりしたものが存在したが、飛散防止用カバーのみでは確実性がなく、特許文献２のように別途空気取り入れ口と繋がる溝を形成するのは加工の手間が発生し、より簡単な構造で確実な油戻し構造の開発が望まれていた。
【０００７】
【特許文献１】特開２００６−２５０１３８号公開特許公報
【特許文献２】特開２００１−１６５０８４号公開特許公報
【発明の開示】
【発明が解決しようとする課題】
【０００８】
本発明は、上記従来技術の問題点を解決しようとするもので次の目的を有している。
第１に、簡単なスイッチ構造で、電池ケースのロック機構を提供できるとともに、スイッチＯＦＦ状態では閉回路とはならず、電池の自己放電を防ぐことができるスイッチにおける端子の接離構造とする。
第２に、外筒で覆われた部分の吸入管の外周部に凸部を形成し、該凸部により吸入管外周部と外筒内壁面との間に灯油戻し路を形成し、確実に油漏れ現象を無くすことを可能とする電動灯油ポンプを提供する。
【課題を解決するための手段】
【０００９】
第１の発明は、上記課題を解決するため、灯油タンクから灯油を吸い上げる吸入管と、灯油を灯油タンク外部に供給する吐出ホースと、該吸入管と吐出ホースの連結部材と、吸い上げ力を発揮させるポンプモータと、該ポンプモータの電源部となるスイッチ付の電池ケースとを有する電動灯油ポンプに次の手段を採用する。
【００１０】
第１に、上記電動灯油ポンプの上記電池ケースを、電池挿入側が開口されているケース本体と、電池挿入側の開口部を塞ぐ蓋体とで構成する。
第２に、上記スイッチは、上記蓋体の外部に設けられた該スイッチの操作部と、該操作部と連動して閉められた蓋体内に進入可能な挿入板と、該挿入板の挿入により電源ＯＮとなり上記ポンプモータを動作させる板状端子とを備えたものとする。
【００１１】
第３に、板状端子は、電源ＯＦＦ時には少なくとも接点の一部が電池と非接触となって電源回路を閉回路とせず、上記挿入板の挿入により上記非接触の接点が電池と接触して電源ＯＮとなるよう蓋体内に設けられる。
【００１２】
第４に、板状端子を、上記挿入板の挿入側では該挿入板が挿入可能な隙間を確保して弾性で該蓋体と離れることができるように、上記挿入板の挿入側と反対方向で上記蓋体に固定される。
【００１３】
第５に、上記操作部のスライドにより、挿入板が上記隙間に進入し、板状端子の非接触の接点を電池と接触させ、電源ＯＮとすると共に、蓋体の開放防止を可能としたことを特徴とする電動灯油ポンプとする。
【００１４】
第２の発明は、第１の発明に、前記連結部材に、前記吸入管を覆う外筒を、外筒下端が利用する灯油タンク内に隠れる長さにして装着し、前記覆われた部分の吸入管の外周部に凸部を形成し、該凸部により吸入管外周部と外筒内壁面との間に灯油戻し路を形成したことを付加した電動灯油ポンプである。
【発明の効果】
【００１５】
第１の発明では、スイッチの構造の改良を図ったことにより、簡単な構造でスイッチ機構を提供できるだけでなく、電源ＯＮ時の蓋体の不用意な開放を防止できる確実なロック機構を提供できる電動灯油ポンプとなった。
【００１６】
更に、電池ケース内の回路が、前記スイッチの操作部をスライドさせていないＯＦＦの状態で、閉回路とならないため、閉回路による電池の自己放電を防止することができる電動灯油ポンプとなった。
【００１７】
更に、第２の発明の効果ではあるが、外筒内壁と吸入管の外周部に形成した凸部とにより灯油戻し路を形成することにより簡単な構造で油漏れを防止できる電動灯油ポンプとなった。
【発明を実施するための最良の形態】
【００１８】
以下、図面に従って、実施例と共に本発明の実施の形態について説明する。図１は本発明に係る電動灯油ポンプの１実施例を示す説明図であり、本実施例に係る電動灯油ポンプは、灯油タンクから灯油を吸い上げる吸入管１と、灯油を灯油タンク外部に供給する吐出ホース２と、該吸入管１と吐出ホース２の連結部材３と、吸い上げ力を発揮させるポンプモータ４と、該ポンプモータ４の電源部となるスライドスイッチ５付の電池ケース６とを有する。これらの基本的構成部材の種類は従来の公知例と変わることはない。
【００１９】
本発明の特徴の第１は、電動灯油ポンプの電池ケース６部分にある。電池ケース６は、図３に示されるように、電池７が挿入される側に開口部８が形成されたケース本体９と、電池７の挿入される側の開口部８を塞ぐ蓋体１０とで構成される。尚、実施例での電池７は単３電池４本が用いられている。
【００２０】
電池ケース６のケース本体９は、図２に示されるように連結部材３と一体でその外側に設けられている。蓋体１０は、開閉のためケース本体９の軸２０に回動自在に装着されており、先端部に形成された係止フック２１でケース本体９と簡便に係止可能とされている。尚、蓋体１０には、後述する挿入板１２の進入可能な挿入空部が形成されている。
【００２１】
図３に示されるように電池ケース６の蓋体１０に隣接する側方にはスライドスイッチ５が、スライド自在ではあるが、電池ケース６から離脱することのないように装着されている。スライドスイッチ５は、蓋体１０の外部に配置される該スライドスイッチ５の操作部１１と、該操作部１１と連動して蓋体１０内に進入する挿入板１２と、蓋体１０内部に配置される板状端子１３とで構成される。尚、実施例では操作部１１と挿入板１２は、図５に示されるように一体に形成されている。
【００２２】
板状端子１３は、電源ＯＦＦ時には少なくとも接点１５，２５の一部が電池と非接触となって電源回路を閉回路とせず、上記挿入板の挿入により上記非接触の接点２５が電池と接触して電源ＯＮとなるよう蓋体１０内に設けられる。
更に、板状端子１３は、図６及び図７に示されるように、挿入板１２の挿入側と反対方向で蓋体１０の内壁に固定され、挿入板１２の挿入側では該挿入板１２が挿入可能な隙間１４を確保した状態で、板状端子１３自体の弾性力で蓋体１０と離れることができるよう配置されている。
【００２３】
尚、図６のように挿入板１２が板状端子１３と蓋体１０との間に挿入されていない状態では、板状端子１３の一部の接点１５は電池７と接触しているが、一部の接点２５は電池７とは接触していない。従って、電池ケース６内の電源回路は、スライドスイッチ５の操作部１１を蓋体１０側へとスライドさせていない状態、すなわちＯＦＦの状態では、図８に示すように開かれた回路とされており、閉回路とされていない。
【００２４】
図７に示されるように、スライドスイッチ５の操作部１１を蓋体１０方向へスライドさせることにより、挿入板１２が上記隙間１４に進入し、板状端子１３を電池７側へ押し出し、板状端子１３の電池７とは非接触であった接点２５を電池７に接触させ、電源ＯＮとする。これによりポンプモータ４が動作し、給油を行うのである。
【００２５】
電源ＯＮ状態、すなわち図７に示される状態で、挿入板１２は、ケース本体９より離脱しないよう装着されており、板状端子１３は、蓋体１０に固定されており、挿入板１２が、固定されている板状端子１３と蓋体１０の隙間に入り込んでいるため、蓋体１０は、挿入板１２によりケース本体９から開放不能な状態とされ、不用意な開放を防止することが可能とされている。
【００２６】
蓋体１０のケース本体９からの不用意な離脱や開放を防止するには、上記手段でも十分であるが、実施例では、更に、挿入板１２が挿入可能な隙間を形成した脱落防止部材１６を蓋体１０内部に形成され、挿入板１２が蓋体１０内に挿入され、電源ＯＮ状態になった場合に、挿入板１２は、脱落防止部材１６と蓋体１０で形成された隙間に挿入され、確実にロックされるようになっている。
【００２７】
本発明におけるスイッチとして、実施例では操作部１１をスライドさせる方式のスライドスイッチ５を用いているが、スイッチにおいて重要なのは挿入板１２が動作であるので、操作部１１がスライド方式ではなく、回転方式であっても、プッシュ方式等であっても、挿入板１２が同様の動作をするものであればよく、実施例のスライドスイッチ５に限定されるものではない。
【００２８】
本発明の第２の特徴は、給油の際や給油直後に生じる油漏れ防止のための油戻し構造にある。油戻し構造は、吸入管１を外筒１７で覆うことが基本である。該外筒１７は、連結部材３の下端に装着される。前記吸入管１を覆う外筒１７は、利用する灯油タンクに隠れる長さとされる。
【００２９】
更に、外筒１７に覆われた部分の吸入管１の外周部に凸部１８を形成する。実施例で凸部１８は、外筒１７で覆われた部分の下端部付近の吸入管１の長さ方向に形成されている。該凸部１８により吸入管１外周部と外筒１７内壁面との間に隙間を作り、該隙間を灯油戻し路１９としている。尚、図１０中符号２２の点線部分は、空気の流れを示している。
【図面の簡単な説明】
【００３０】
【図１】本発明に係る電動灯油ポンプの１実施例を示す説明図
【図２】連結部の拡大説明図
【図３】電池ケース廻りの説明斜視図
【図４】蓋体の断面説明図
【図５】操作部と挿入板を示す斜視説明図
【図６】スライドスイッチＯＦＦ状態の説明図
【図７】スライドスイッチＯＮ状態の説明図
【図８】電源回路の説明図
【図９】蓋体内側の説明図
【図１０】油戻し構造の説明図
【符号の説明】
【００３１】
１・・・・・吸入管
２・・・・・吐出ホース
３・・・・・連結部材
４・・・・・ポンプモータ
５・・・・・スライドスイッチ
６・・・・・電池ケース
７・・・・・電池
８・・・・・開口部
９・・・・・ケース本体
１０・・・・蓋体
１１・・・・操作部
１２・・・・挿入板
１３・・・・板状端子
１４・・・・隙間
１５・・・・接点
１６・・・・脱落防止部材
１７・・・・外筒
１８・・・・凸部
１９・・・・灯油戻し路
２０・・・・軸
２１・・・・係止フック
２２・・・・空気の流れ
２５・・・・接点
【図１】
2010019081.tif 000003
【図２】
2010019081.tif 000004
【図３】
2010019081.tif 000005
【図４】
2010019081.tif 000006
【図５】
2010019081.tif 000007
【図６】
2010019081.tif 000008
【図７】
2010019081.tif 000009
【図８】
2010019081.tif 000010
【図９】
2010019081.tif 000011
【図１０】
2010019081.tif 000012
【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
灯油タンクから灯油を吸い上げる吸入管と、灯油を灯油タンク外部に供給する吐出ホースと、前記吸入管と該吐出ホースの連結部材と、灯油の吸い上げ力を発揮させるポンプモータと、該ポンプモータの電源部となるスイッチ付の電池ケースとを有する電動灯油ポンプにおいて、
上記電池ケースは、電池挿入側が開口されているケース本体と、電池挿入側の開口部を塞ぐ蓋体とを備え、
上記スイッチは、上記ケース本体の外部に設けられたスイッチの操作部と、該操作部と連動して閉められた蓋体内に進入可能な挿入板と、該挿入板の挿入により電源ＯＮとなり上記ポンプモータを動作させる板状端子とを備え、
上記板状端子は、電源ＯＦＦ時には少なくとも接点の一部が電池と非接触となって電源回路を閉回路とせず、上記挿入板の挿入により上記非接触の接点が電池と接触して電源ＯＮとなるよう蓋体内に設けられると共に、
上記板状端子は、上記挿入板の挿入側では該挿入板が挿入可能な隙間を有した状態で、弾性により上記蓋体と離れることができるように上記挿入板の挿入側と反対方向で上記蓋体内部に固定され、
上記操作部のスライドにより、上記挿入板が上記隙間に進入し、上記板状端子の上記非接触の接点を電池と接触させ、電源ＯＮとすると共に、上記蓋体の開放防止を可能としたことを特徴とする電動灯油ポンプ。
【請求項２】
前記連結部材に、前記吸入管を覆う外筒を、外筒下端が利用する灯油タンク内に隠れる長さにして装着し、該覆われた部分の吸入管の外周部に凸部を形成し、該凸部により吸入管外周部と外筒内壁面との間に灯油戻し路を形成したことを特徴とする請求項１記載の電動灯油ポンプ。
【手続補正２】
【補正対象書類名】明細書
【補正対象項目名】００１０
【補正方法】変更
【補正の内容】
【００１０】
第１に、上記電動灯油ポンプの上記電池ケースを、電池挿入側が開口されているケース本体と、電池挿入側の開口部を塞ぐ蓋体とで構成する。
第２に、上記スイッチは、上記ケース本体の外部に設けられた該スイッチの操作部と、該操作部と連動して閉められた蓋体内に進入可能な挿入板と、該挿入板の挿入により電源ＯＮとなり上記ポンプモータを動作させる板状端子とを備えたものとする。
【手続補正３】
【補正対象書類名】明細書
【補正対象項目名】００２１
【補正方法】変更
【補正の内容】
【００２１】
図３に示されるように電池ケース６の蓋体１０に隣接する側方にはスライドスイッチ５が、スライド自在ではあるが、電池ケース６から離脱することのないように装着されている。スライドスイッチ５は、ケース本体９の外部に設けられた該スライドスイッチ５の操作部１１と、該操作部１１と連動して蓋体１０内に進入する挿入板１２と、蓋体１０内部に配置される板状端子１３とで構成される。尚、実施例では操作部１１と挿入板１２は、図５に示されるように一体に形成されている。